(57)【要約】【課題】  便利に折り畳むことができる折り畳み式のボックスの改良結構を提供する。【解決手段】  軟性の布で矩形の箱１を作り、箱１の上方に開口があり、箱１の底面に底板４が設置されている。二つの箱１は一体化に連結されるが、二つの間は垂直壁１２で間隔されている。すべて箱１の相対的な一番外側に板体２が結ばれ、箱１の開口には板体２を持つ以外の水平辺にロッド３が結合されている。垂直壁１２の下方は透過の空間である。また、底板４は一対ずつの方式でつながれ、相対的に方向転換に折られ、そうすると、底板４は垂直壁１２の透過の空間を通過し、箱１の内底面に放置される。垂直壁１２の下方は箱１の底部に接続されるが、底板４の一辺は垂直壁１２の下方片側に縫い合っている。また、箱１の両側にひもを通すために孔穴が設けられ、箱の外側に側袋１１が設置されている。【選択図】    図１
0003101915.tif 000002
【実用新案登録請求の範囲】
【請求項１】
折り畳み式のボックスの構造において、軟性の布で矩形の箱を作り、箱毎に上方に開口があり、箱毎の底面にそれぞれ底板が設置され、
二つの箱は一体に連結され、二つの間は垂直壁で間隔され、すべて箱の相対的な一番外側に板体が結ばれ、箱の開口には板体を持つ以外の水平辺にそれぞれロッドが結合されていることを特徴とする折り畳み式のボックスの構造。
【請求項２】
垂直壁の下方は、透過の空間であり、底板は一対ずつの方式でつながれ、相対的に方向転換に折られ、底板は垂直壁の透過の空間を通過し、箱の内底面に放置されることを特徴とする請求項１記載の折り畳み式のボックスの構造。
【請求項３】
垂直壁の下方は、箱の底部に接続され、底板の一辺は垂直壁の下方片側に縫い合い、箱の両側にひもを通すために孔穴が設けられ、箱の外側に側袋が設置されていることを特徴とする請求項２記載の折り畳み式のボックスの構造。
【考案の詳細な説明】
【技術分野】
【０００１】
本考案は、折り畳み式のボックスの構造に関するものであり、特に、いままでの既存の類似製品より、もっと簡素化のように設計され、実用性を持つという構造を指す。
【背景技術】
【０００２】
台湾の特許新案ＮＯ８８２０７６８４に提供される折り畳み式の収納用置物ボックスの結構は、軟性の布で構成する箱の上端四辺にそれぞれ上水平ロッドを設けるが、箱の下端の向き合う両辺に下水平ロッドを設ける。箱の四つ垂直辺にそれぞれ縦立ロッドを設置する。
【０００３】
本考案の提案者は、該案の結構が箱の下端の向き合う両側に下水平ロッドを設置し、結構が複雑で、操作も不便だと考えるので、先に追加の請求案を提出し、該案も既に認可された。
【考案の開示】
【考案が解決しようとする課題】
【０００４】
しかし、原案又はあとの追加案は皆、単一の箱の結構の設計のみを考えるので、置物の広範性があまりに限られる。述べた追加案ならば、複数の箱を直列に接続するが、収納および併合しているうちに、箱毎を分離させたあとで、一つずつ折り畳まなければならないので、不便だと言える。
【課題を解決するための手段】
【０００５】
したがって、本考案の主な目的は、折り畳み式のボックスの改良結構を提供することにある。それで、二つ以上の箱を一体化に結ぶ。一体化に連結された箱の一番外側の向き合う両側に硬質の板体を結合する。また、硬質板体を持つ以外の箱の上方の各水平辺に皆ロッドを結合する。それら箱は分離しなくても、扁平状まで折り畳まれる以外、組立のあとの強度も向上される。折り畳んだあとで、硬質板体の補助で、もっと整然に平坦になっている。
【０００６】
本考案のもう一つ目的は、折り畳み式のボックスの改良結構を提供することにある。二つ箱の間にあける垂直壁の下方は透過の空間である。接続箱の数量に応じて、対応数量の底板も連結されるので、底板が相対的に方向転換のように折られる。続いて、一体化の底板を垂直壁の下方の透過空間に通過させ、箱の底部に放置する。そんな設計で、箱を折り畳むときに、底板を箱から取り出さずに、直接に、それを垂直状態へひねるとすむ。底板の位置移動を避けることもできる。
【０００７】
本考案のもう一つ目的は、折り畳み式のボックスの改良結構を提供することにある。二つの箱の間にあける垂直壁の下方は透過の空間ではないように設計してもよい。直接に、垂直壁の下方の側辺に底板を縫い合う。よって、底板が垂直壁と相対的に作動できる。そんな設計を経由して、箱を折り畳むときに、底板を箱から取り出さずに、直接にそれを垂直状態へひねるとすむ。
【０００８】
本考案のもう一つ目的は、折り畳み式のボックスの改良結構を提供することにある。奇数の箱を接続するときに、二つずつの箱の間における垂直壁の下方は透過空間の形態となる。接続ユニットで接続した底板を前掲の垂直壁の下方の透過空間に通過させ、箱の底部に放置させる。また、残った一つ箱の垂直壁の下方は透過の空間ではないように設計される。直接に、垂直壁の下方の側辺に、底板を縫い合う。よって、各底板は垂直壁と相対的に折られる。そして、箱を折り畳むときに、直接にそれを垂直状態へひねるとすむ。 底板の位置移動を避けることもできる。
【考案を実施するための最良の形態】
【０００９】
本考案の目的、特徴および効果などをご了解なさるために、以下、さらに具体的な実施例を図面にあわせて詳しく説明する。
まずは図１を御覧下さい。本考案の一実施例による折り畳み式のボックスの改良結構は、主に、箱１、二枚の板体２、複数のロッド３および底板４などの要素から形成される。箱１は十分に強さおよび強靭性を持つ布（例えば、帆布）で縫われ、縫われた二つ以上の箱１は一体化に連結させる形態となる。また、箱１毎の上方に、開口がある。一体化に縫われた箱の相対的に一番外側の両側内部に、皆板体２を覆う。隣接の二つ箱１の間は、共同に垂直壁１２で接続される。垂直壁１２は軟らかい布で作ってもよいし、硬質板で作ってもよい。垂直壁１２の下方は透過空間の形態となる。
【００１０】
前掲の箱１において、板体２を結合する部分以外のほかの部分の開口の水平辺に、ロッド３が結合される。箱１の底部に底板４を放置し、全体の箱の重心とする。述べた底板４は一対ずつ接続される。二枚の底板４の間は、連結ユニット４１で接続される。連結ユニット４１も十分に強さおよび強靭性を持つ帆布又は適度なフレキシブル表面材で縫われる。そんな主な目的は、連結ユニット４１で二枚の底板を接続させることを経由して、二枚の底板は相対的に方向転換するように折られる。箱１の外側に側袋１１を設置すると、小さな物品を放置することができる。
【００１１】
本実施例の以上の結構により、箱１を矩形体へ張るときに、まず二枚の板体２で箱１を支持する。しかも、底板４を箱１の内底部にいれて、垂直壁１２の透過空間１３を通過させ、箱の底面に放置する。そうすると、板体２と底板４とで共同に箱を図２に示すように支持する。そのあと、物品を箱１に入れることができる。
【００１２】
図３を御覧下さい。使用しなくて、箱１を収納および併合したい場合に、ただ、底板４を上へ回して、箱１の垂直壁面の後に寄りかかるようにさせる。それで、箱１をひねって（本実施例ならば９０度）、箱１の垂直壁はひねって曲げられて、高さが低降される。他の箱も同じ方式でひねって回され、図４に示すように折り畳まれる。繰り返すように回すと、最後は、箱１は扁平状まで折り畳まれる。よって、小さな体積になって、利便に、収納および携帯できる。
【００１３】
述べた底板４を二つずつ一対のように連結する以外、底板４の一辺を直接に二つ箱の間における垂直壁１２の下方に縫い合ってもよい。それで、図８に示すように、底板４と垂直壁１２を相対的にひねって回すことができる。そんな方式で結合すれば、ベストなのは、垂直壁１２の下方を透過の空間の形態ではないようにさせ、縫われた底板４をなるべく箱の底面に貼り合せる。
【００１４】
図６を御覧下さい。本考案の第二実施例は、単一箱の形態を採用する。そんな実施例において、単一箱の向き合う両側にも板体が結合されるが、別の向き合う両側にロッドが結合される。箱のなかに、底板を放置する。それで、同じ折り畳み効果を達成する。
【００１５】
図７を御覧下さい。本考案の第三実施例は、三つの箱を一体化に縫い合う形態を採用する。そんな実施例は、箱の数量と図１に示す数量とに差異がある以外、他の結構は図１と同じである。そんな実施例において、二つずつの箱の間における垂直壁１２の下方に透過の空間形態を採用する。しかも、連結ユニットで連結した二つ底板４を垂直壁１２の下方の透過空間に通過させ、箱の底部に放置する。残った一つの箱の垂直壁は、透過の空間ではないように設置される。直接に、垂直壁の下方の側辺に底板４を縫い合う。それで、各底板４が皆垂直壁１２と相対的にひねって回転できるので、箱が折り畳まれる。
【００１６】
その他、本実施例により、箱１の片側の板体２に、複数の孔穴１０を設置する。それら孔穴１０にひもを通すので、箱を垂直に立てるときに、箱に縫い合われた底板４は自然に水平の状態まで回され、垂直壁１２に寄りかかる。ユーザは、ひもを図９に示すようにロッドに吊ると、靴、着物又はほかの小さな物品を放置することができる。又は、箱１の両側の板体２に複数の孔穴１０を設置し、それら孔穴１０にひもを通してもよい。それで、図１０に示すように、箱を横方向に放置させ、両側のひもを事前に壁に取り付けられているフックに吊り掛ける。
【図面の簡単な説明】
【００１７】
【図１】本考案の一実施例による折り畳み式のボックスの改良結構の物置ボックスと底板の構造及び底板と箱とのアセンブリの関係を示す斜視図である。
【図２】本考案の一実施例による折り畳み式のボックスの改良結構の底板が置物ボックスにアセンブリされる状態を示す斜視図である。
【図３】本考案の一実施例による折り畳み式のボックスの改良結構の底板をあけて、一つの箱をひねって回す動作を示す斜視図である。
【図４】本考案の一実施例による折り畳み式のボックスの改良結構の二つの箱を皆ひねって回す動作を示す斜視図である。
【図５】本考案の一実施例による折り畳み式のボックスの改良結構の箱が扁平まで折り畳まれる状態を示す斜視図である。
【図６】本考案の第二実施例による折り畳み式のボックスの改良結構の斜視図である。
【図７】本考案の第三実施例による折り畳み式のボックスの改良結構の斜視図である。
【図８】本考案の一実施例による折り畳み式のボックスの改良結構の二つの箱の間に二枚の底板を縫い合う状態を示す斜視図である。
【図９】本考案の一実施例による折り畳み式のボックスの改良結構の箱の一則の板に複数の孔を設置し、ひもを孔に通し、箱を垂直に立て、ひもをロッドに吊る状態を示す斜視図である。
【図１０】本考案の一実施例による折り畳み式のボックスの改良結構の箱の両側の板に複数の孔を設置し、ひもを孔に通し、箱を横方向に放置し、両側のひもをフックに吊る状態を示す斜視図である。
【符号の説明】
【００１８】
１  箱、２  板体、３  ロッド、４  底板、１０  孔穴、１１  側袋、１２  垂直壁、１３  透過の空間、４１  連結ユニット
【図１】
0003101915.tif 000003
【図２】
0003101915.tif 000004
【図３】
0003101915.tif 000005
【図４】
0003101915.tif 000006
【図５】
0003101915.tif 000007
【図６】
0003101915.tif 000008
【図７】
0003101915.tif 000009
【図８】
0003101915.tif 000010
【図９】
0003101915.tif 000011
【図１０】
0003101915.tif 000012